(57)【要約】【課題】給湯装置との間で制御指令を授受して消費電力の増大を抑えるのにより好適な空気調和機を実現する。【解決手段】空気調和機１は、室内の空気を冷暖する空調装置としての空調用室内ユニット１０及び空調用室外ユニット１２と、空調用室内ユニット１０や空調用室外ユニット１２の機器類を制御する空調制御装置１４と、貯湯タンク２６内の水を加熱して供給する給湯装置２との間で制御指令を授受する相互通信手段１６とを備え、空調制御装置１４は、給湯装置２から送信された運転要求に応じ、圧縮機１８の運転周波数を基に求められる消費電力が許容値以下の際に、消費電力と許容値との差に応じた運転許可指令を生成して給湯装置２に送信する。【選択図】図１
2007139274.tif 000002
【特許請求の範囲】
【請求項１】
室内の空気を冷暖する空調装置と、該空調装置を制御する空調制御装置と、水を加熱して供給する給湯装置との間で制御指令を授受する通信手段とを備え、
前記空調制御装置は、前記給湯装置から送信された運転要求に応じ、前記空調装置の運転状況を示す因子に基づき求められる消費電力が許容値以下の際に、前記消費電力と前記許容値との差に応じた運転許可指令を生成して前記給湯装置に送信することを特徴とする空気調和機。
【請求項２】
前記空調装置は、冷凍サイクル流路を循環する冷媒の圧縮機を備え、前記空調制御装置は、前記圧縮機の運転周波数に基づき前記消費電力を求めることを特徴とする請求項１に記載の空気調和機。
【請求項３】
前記空調装置は、冷凍サイクル流路を循環する冷媒の圧縮機を備え、前記空調制御装置は、前記圧縮機の運転停止を判別した際に、前記運転許可指令を送信することを特徴とする請求項１に記載の空気調和機。
【請求項４】
前記空調制御装置との間で指令を授受するリモートコントロールスイッチを有し、前記空調制御装置は、前記リモートコントロールスイッチの表示画面に前記給湯装置に対する運転許可指令の内容を表示させることを特徴とする請求項１乃至３のいずれかに記載の空気調和機。
【請求項５】
前記空調装置と前記給湯装置に優先順位を付与する優先順位付与部を備え、前記空調制御装置は、前記給湯装置の優先順位が前記空調装置よりも高いときに前記給湯装置に運転許可指令を送信し、前記給湯装置の優先順位が前記空調装置よりも低いときは前記給湯装置に待機指令を送信することを特徴とする請求項１乃至４のいずれかに記載の空気調和機。
【請求項６】
前記優先順位付与部は、前記室内の温度、外気温度、時間、前記給湯装置の貯湯量、ユーザ設定値の少なくとも１つの変化に追従させて前記優先順位を切り替えることを特徴とする請求項５に記載の空気調和機。
【発明の詳細な説明】
【技術分野】
【０００１】
本発明は、オフィスなどの室内の空気を冷暖する空気調和機に関し、水を加熱して湯を供給する給湯装置との間で制御指令を授受するものに関する。
【背景技術】
【０００２】
オフィスなどに配設される空気調和機として、室内の空気を冷暖する空調装置と、その空調装置を制御する空調制御装置を備えたものが知られている。例えば、空気調和機は、制御指令に応じ、冷凍サイクル流路に冷媒を循環させ、冷媒の気化と液化の状態変化を繰り返す過程で冷媒の潜熱を利用して室内空気を冷暖する。
【０００３】
ところで、空気調和機とともに給湯装置が設けられる場合がある。給湯装置は、水をタンク内に貯留し、貯留水を加熱器によって沸き上げ、又は追いだきして利用者に湯を供給する。
【０００４】
このような給湯装置を空気調和機に連動させることが行われている。例えば、給湯装置は、深夜の時間帯や冬場などの空気調和機の暖房運転時又は停止時においては、自己の加熱器でタンク内の水を適切な温度にする。一方、夏場などの空気調和機の冷房運転時では、空気調和機から放出される熱を利用してタンク内の水を適切な温度にすることが提案されている（例えば、特許文献１参照）。
【０００５】
【特許文献１】特開２００２−１３８０９号公報
【発明の開示】
【発明が解決しようとする課題】
【０００６】
しかし、特許文献１などの方式では、空気調和機の暖房運転時や給湯装置の運転時間帯によっては空気調和機と給湯装置が同時に稼動する場合がある。その場合の総消費電力は、空気調和機の消費電力と給湯装置の消費電力を合算したものになる。総消費電力が最大許容値を超えると、例えば、電気ブレーカが作動するし、最大許容値を前もって嵩上げすると、電力会社との間の契約基本料金が増大する。このように空気調和機と給湯装置を連動させる点に改善すべき余地がある。
【０００７】
本発明の課題は、給湯装置との間で制御指令を授受して消費電力の増大を抑えるのにより好適な空気調和機を実現することにある。
【課題を解決するための手段】
【０００８】
上記課題を解決するために、本発明の空気調和機は、室内の空気を冷暖する空調装置と、該空調装置を制御する空調制御装置と、水を加熱して供給する給湯装置との間で制御指令を授受する通信手段とを備え、前記空調制御装置は、前記給湯装置から送信された運転要求に応じ、前記空調装置の運転状況を示す因子に基づき求められる消費電力が許容値以下の際に、前記消費電力と前記許容値との差に応じた運転許可指令を生成して前記給湯装置に送信することを特徴とする。
【０００９】
すなわち、ここでの空調装置の消費電力と既定の許容値との差は、空調装置と給湯装置との総消費電力が最大許容電力に達するまでの余裕分である。したがって、その余裕分の範囲内で給湯装置を稼動させることにより、総消費電力を最大許容電力以下に抑えることができる。
【００１０】
例えば、空調装置の運転停止時など、空調装置の消費電力と既定の許容値との差が比較的大きい場合、給湯装置の最大運転能力に対する運転率を高めにして給湯装置を運転させればよいし、その差が比較的小さい場合は、給湯装置の運転率を抑えて運転させればよいし、その差がゼロの場合は、給湯装置の運転要求を拒否すればよい。
【００１１】
この場合において、空調装置は、冷凍サイクル流路を循環する冷媒の圧縮機を備え、空調制御装置は、圧縮機の運転周波数に基づき消費電力を求めることができる。例えば、空調制御装置は、圧縮機の運転停止を判別した際に、給湯装置に運転許可指令を送信する。
【００１２】
また、空調制御装置との間で指令を授受するリモートコントロールスイッチを有し、空調制御装置は、前記リモートコントロールスイッチの表示画面に給湯装置に対する運転許可指令の内容を表示させることができる。これにより、給湯装置の運転状況を視覚的に把握できるから、空気調和機と給湯装置を連動させるに際しての使い勝手が向上する。
【００１３】
また、空調装置と給湯装置に優先順位を付与する優先順位付与部を備え、空調制御装置は、給湯装置の優先順位が空調装置よりも高いときに給湯装置に運転許可指令を送信し、給湯装置の優先順位が空調装置よりも低いときは給湯装置に待機指令を送信することができる。
【００１４】
すなわち、空調装置は、運転要求に応じてリアルタイムに稼動すべきものであるのに対し、給湯装置は、運転要求に対するリアルタイム性が空調装置よりも求められないものである。より具体的に言えば、給湯装置は、タンク内の水の温度を維持するいわゆる保温機能（サーマルストレージ機能）を有するのが一般的であるため、稼動開始時間を臨機応変にずらすことができる。したがって、空調装置と給湯装置に付与した優先順位に従って、空調装置を稼動させつつ給湯装置の稼動開始時間をずらすことにより、空調を求める利用者の快適性を確保しつつ、利用者に湯を提供できる。
【００１５】
この場合において、優先順位付与部は、室内の温度、外気温度、時間、給湯装置の貯湯量、ユーザ設定値の少なくとも１つの変化に追従させて優先順位を切り替えることができる。すなわち、空調装置と給湯装置に付与された優先順位は、室内温度などの変化に追従して動的に変更される。これにより、個別具体的実情（例えば、季節変動）に沿って、空調装置と給湯装置の連動制御をきめ細かに行うことができる。
【発明の効果】
【００１６】
本発明によれば、給湯装置との間で制御指令を授受して消費電力の増大を抑えるのにより好適な空気調和機を実現できる。
【発明を実施するための最良の形態】
【００１７】
（第一の実施形態）
本発明を適用した空気調和機の第一の実施形態について図面を参照して説明する。図１は、本実施形態の空気調和機を示す構成図である。
【００１８】
図１に示すように、空気調和機１は、オフィスや工場などの室内空気を冷暖する空調装置としての空調用室内ユニット１０及び空調用室外ユニット１２と、空調用室内ユニット１０や空調用室外ユニット１２の機器類を制御する空調制御装置１４と、貯湯タンク２６内の水を加熱して供給する給湯装置２との間で制御指令を授受する相互通信手段１６などを備えている。
【００１９】
ここでの空調制御装置１４は、給湯装置２から運転要求を受信すると、空気調和機１の運転状況を示す因子（例えば、圧縮機１８の運転周波数）に基づき消費電力を求める。そして、空調制御装置１４は、空気調和機１の消費電力が最大許容値以下である場合、その消費電力と最大許容値との差に応じた運転許可指令を生成して給湯装置２に送信する。これにより、総消費電力の増大を抑えるのにより好適な空気調和機１を実現できる。なお、総消費電力とは、空気調和機１の消費電力に給湯装置２の消費電力を合算したものである。最大許容値は、総消費電力に対応して予め設定されている。
【００２０】
より詳細に本実施形態の空気調和機１について説明をする。図１に示すように、空気調和機１は、ネットワーク１５を介して給湯装置２に相互通信可能に接続されている。この空気調和機１は、空調用室内ユニット１０と空調用室外ユニット１２との間で冷凍サイクル流路を形成する。すなわち、空気調和機１は、冷凍サイクル流路を循環する冷媒の気化と液化の状態変化を繰り返し、その冷媒の潜熱を利用して室内空気を冷暖するヒートポンプ式の装置である。
【００２１】
空調用室外ユニット１２は、冷媒を圧縮するインバータ式の圧縮機１８と、冷房運転時は圧縮機１８から吐出されたガス冷媒を凝縮させ、暖房運転時は空調用室内ユニット１０から供給された冷媒を蒸発させる熱交換器と、その熱交換器に外気を通気させる送風機２０と、圧縮機１８などの機器類を制御する空調制御装置１４と、給湯装置２との間でネットワーク１５を介して制御指令を授受するネットワークインターフェースとしての相互通信手段１６などを備えている。空調用室内ユニット１０は、空調用室外ユニット１２から供給された冷媒を冷媒運転時は蒸発させ、暖房運転時は凝縮させる熱交換器と、その熱交換器に室内空気を通気させる送風機などを備えている。
【００２２】
そして、ここでの空調制御装置１４は、給湯装置２から運転要求を受信すると、例えば圧縮機１８の運転回転数に基づき消費電力を求め、求めた消費電力が既定の最大許容値以下の際に、その消費電力と最大許容値との差に応じた運転許可指令を給湯装置２にネットワーク１５を介して送信する機能を有する。
【００２３】
より具体的には、空調制御装置１４は、圧縮機１８の運転停止時など、圧縮機１８の消費電力と最大許容値との差が比較的大きい場合は、給湯装置２の最大運転能力に対する運転率を高めにした運転許可指令を送信する。また空調制御装置１４は、圧縮機１８の消費電力と最大許容値との差が比較的小さい場合は、給湯装置２の運転率を低めにした運転許可指令を送信する。また空調制御装置１４は、圧縮機１８の消費電力と最大許容値との差がゼロ以下である場合は、給湯装置２の運転不許可指令を出力することもできる。ここでの運転不許可指令は、給湯装置２を待機させる指令でもよい。要するに、空調制御装置１４は、総消費電力を最大許容電力以下に抑えるための運転許可指令を生成して給湯装置２に送信する。
【００２４】
また、空調用室内ユニット１０を介して空調制御装置１４との間で指令を授受する操作器としてのリモートコントロールスイッチ２２（以下、リモコン２２という）が配設されている。リモコン２２は、空気調和機１の運転開始指令や運転停止指令や目標室内温度などが利用者によって入力されるボタンや、空気調和機１の運転状態などが表示される表示パネル２４などを有する。そして、ここでのリモコン２２は、給湯装置２に対する制御指令も入力できるし、給湯装置２の運転状態も表示パネル２４に表示できるし、また空調制御装置１４から給湯装置２に対して送信された運転許可指令の内容を表示パネル２４に表示することもできる。このようなリモコン２２の機能により、空気調和機１と給湯装置２を連動させるに際しての使い勝手が向上する。
【００２５】
給湯装置２は、水を貯留する貯湯タンク２６と、貯湯タンク２６内の水を加熱器３０によって沸き上げ又は追いだきして適切な温度にする給湯用室外ユニット２８などから構成されている。なお、給湯装置２としては、空気調和機１と原理が同じヒートポンプ式のものを適用できる。その場合、加熱器３０は、冷媒の圧縮機や冷媒の凝縮器を有する。またヒートポンプ式に代えて、加熱器３０としてヒータなどを適用したものでもよい。
【００２６】
貯湯タンク２６は、加熱前又は加熱後の水を貯留する槽と、槽内の水の温度を維持する保温手段などから構成されている。給湯用室外ユニット２８は、貯湯タンク２６内の水を沸き上げ又は追いだきする加熱器３０と、加熱器３０を制御する給湯制御装置３２と、空気調和機１との間で制御指令をネットワーク１５を介して授受するネットワークインターフェースとしての相互通信手段３４などを備えている。
【００２７】
そして、ここでの給湯制御装置３２は、空調制御装置１４からネットワーク１５を介して送信された運転許可指令に応じ、加熱器３０を制御する。より具体的には、給湯制御装置３２は、給湯装置２の運転率を高めにした運転許可指令を受信すると、例えば、加熱器３０に比較的大きな駆動電流を供給する。また給湯制御装置３２は、給湯装置２の運転率を低めにした運転許可指令を受信すると、例えば、加熱器３０に比較的小さな駆動電流を供給する。なお、加熱器３０の駆動電流の増加幅や減少幅については、空調制御装置１４から送信された運転許可指令に記述されているものとする。また、給湯制御装置３２は、給湯装置２の運転不許可指令（例えば待機指令）を受信すると、加熱器３０を停止させる。
【００２８】
また、給湯制御装置３２との間で指令を授受する操作器としてのリモートコントロールスイッチ３６（以下、リモコン３６）が配設されている。リモコン３６は、給湯装置２の運転開始指令や運転停止指令や目標湯温などが利用者によって入力されるボタンや、給湯装置２の運転状態などが表示される表示パネル３８などを有する。そして、ここでのリモコン３６は、空気調和機１に対する制御指令も入力できるし、空気調和機１の運転状態も表示パネル３８に表示できるし、また空調制御装置１４から給湯装置２に対して送信された運転許可の内容を表示パネル３８に表示することもできる。このようなリモコン３６の機能により、空気調和機１と給湯装置２を連動させるに際しての使い勝手が向上する。
【００２９】
このように構成される空気調和機１と給湯装置２の連動制御について図２を参照して説明をする。図２は、空気調和機１と給湯装置２の連動制御を給湯制御装置３２の動作を中心に示すフローチャートである。図２に示すように、給湯装置２の電源がオンされると、給湯装置２は初期モードで起動する（Ｓ１０）。次に、給湯制御装置３２は、給湯装置２の運転要求の有無を判断する（Ｓ１２）。給湯装置２の運転要求がないときは、加熱器３０の運転停止を確認した後（Ｓ１３）、Ｓ１２の工程に戻る。給湯装置２の運転要求があった際は、空調制御装置１４に運転要求を送信する。空調制御装置１４は、給湯制御装置３２からの運転要求を受信すると、空気調和機１の消費電力が既定の最大許容値以下の際に、その消費電力と最大許容値との差に応じた運転許可指令を生成して給湯制御装置３２に返信する。
【００３０】
次に、給湯制御装置３２は、空調制御装置１４から送信された指令に基づき、加熱器３０の運転許可又は不許可を判定する（Ｓ１４）。加熱器３０の運転が不許可である場合は、加熱器３０の動作許可要求フラグを保持した後（Ｓ１５）、加熱器３０の運転停止を確認する（Ｓ１３）。ここでの運転不許可指令は、給湯装置２を待機させる指令でもよい。一方、加熱器３０の運転が許可された場合、その許可指令に応じて加熱器３０を駆動させる（Ｓ１６）。このような図２に示す処理が繰り返される。
【００３１】
本実施形態によれば、空気調和機１の消費電力と既定の最大許容電力との差は、空気調和機１と給湯装置２との総消費電力が最大許容電力に達するまでの余裕分である。したがって、その余裕分の範囲内で給湯装置２を稼動させることにより、総消費電力を最大許容電力以下に抑えることができる。その結果、例えば、電気ブレーカの作動を回避できるし、最大許容電力を小さめに設定して電力会社との契約電力量基本料金を抑えることができる。
【００３２】
また、給湯用室外ユニット２８を複数配設することもできる。その場合、空調制御装置１４は、複数の給湯装置２から任意の給湯用室外ユニット２８を選択し、選択された給湯用室外ユニット２８の給湯制御装置３２に対して運転許可指令を送信する。なお、空調制御装置１４が選択する任意の給湯装置２については、リモコン２２を介して入力指定できる。
【００３３】
（第二の実施形態）
本発明を適用した空気調和機の第二の実施形態について図面を参照して説明する。本実施形態は、空気調和機１と給湯装置２に優先順位を付与する点で、第一の実施形態と異なる。したがって、相互に対応する箇所は同一符号を付して説明を省略し、相違点を中心に説明する。
【００３４】
図３は、本実施形態の空気調和機の構成を示す図である。図３に示すように、空気調和機１と給湯装置２に優先順位を付与する優先順位付与部４０が設けられている。この優先順位付与部４０は、室内空気や外気の温度を取り込む温度取得手段４２と、貯湯タンク２６の貯湯量を取り込む貯湯量取得手段４４と、予め設定された時間を取り込む時間取得手段４６、リモコン２２又はリモコン３６から入力されたユーザ設定を取り込むユーザ設定取得手段４８などを有する。
【００３５】
そして、ここでの優先順位付与部４０は、空気調和機１と給湯装置２に優先順位を付与する優先順位切替手段５０を備えている。優先順位切替手段５０は、温度取得手段４２、貯湯量取得手段４４、時間取得手段４６、ユーザ設定取得手段４８からの出力値に基づき、空気調和機１と給湯装置２に優先順位を付与する。また優先順位切替手段５０は、温度取得手段４２、貯湯量取得手段４４、時間取得手段４６、ユーザ設定取得手段４８からの出力値の変化に追従させて優先順位を切替えることもできる。
【００３６】
例えば、優先順位付与部４０は、室内の温度が目標設定温度よりも乖離している場合は、空気調和機１の優先順位を「高」に設定するとともに、給湯装置２の優先順位を「低」に設定する。また貯湯タンク２６の貯湯量が少ない場合は、空気調和機１の優先順位を「低」に設定するとともに、給湯装置２の優先順位を「高」に設定する。また９時〜１２時及び１３時〜１７時の時間帯は、空気調和機１の優先順位を「高」に設定し、その他の時間帯は、給湯装置２の優先順位を「高」に設定する。またリモコン２２又はリモコン３６から優先順位が入力された場合は、入力値に基づき空気調和機１又は給湯装置２のいずれかの優先順位を「高」に設定する。なお、ここでの空気調和機１の優先順位とは、空調用室内ユニット１０及び空調用室外ユニット１２を備えた空調装置の優先順位と称してもよい。
【００３７】
このように空気調和機１と給湯装置２に優先順位が設定された場合、空調制御装置１４は、給湯装置２に対して運転許可指令を出力するに際し、給湯装置２の優先順位が空気調和機１よりも高いときに給湯装置２に運転許可指令を送信し、給湯装置２の優先順位が空気調和機１よりも低いときは給湯装置２に待機指令を送信する。
【００３８】
図４は、本実施形態の空気調和機１と給湯装置２の連動制御を示すフローチャートである。まず、空気調和機１及び給湯装置２の電源がオンされると、空気調和機１及び給湯装置２は初期設定で起動する（Ｓ４０）。次に、空調制御装置１４は、空気調和機１及び給湯装置２の連動制御機能の有効又は無効を判定する（Ｓ４２）。連動制御が無効のときは、空気調和機１を単独で運転する（Ｓ４４）。連動制御が有効のときは、空気調和機１と給湯装置２の優先順位を判定する（Ｓ４６）。
【００３９】
Ｓ４６の工程で、空調制御装置１４は、空気調和機１の優先順位が給湯装置２よりも高いときは、空気調和機１の運転要求の有無を判定する（Ｓ４８）。その空気調和機１の運転要求があるときは、給湯装置２を停止させるとともに（Ｓ５０）、空気調和機１の運転を開始する（Ｓ５２）。空気調和機１の運転要求がないときは、給湯装置２の運転要求の有無を判定する（Ｓ５４）。その給湯装置２の運転要求があるときは、空気調和機１を停止するとともに（Ｓ５６）、給湯装置２の運転を開始させる（Ｓ５８）。給湯装置２の運転要求がないときは、空気調和機１を停止するとともに（Ｓ６０）、給湯装置２も停止させる（Ｓ６２）。
【００４０】
Ｓ４６の工程で、空調制御装置１４は、給湯装置２の優先順位が空気調和機１よりも高いときは、給湯装置２の運転要求の有無を判定する（Ｓ６４）。その給湯装置２の運転要求があるときは、空気調和機１を停止させるとともに（Ｓ６６）、給湯装置２の運転を開始させる（Ｓ６８）。給湯装置２の運転要求がないときは、空気調和機１の運転要求の有無を判定する（Ｓ７０）。その空気調和機１の運転要求があるときは、給湯装置２を停止させるとともに（Ｓ７２）、空気調和機１の運転を開始する（Ｓ７４）。空気調和機１の運転要求がないときは、空気調和機１を停止するとともに（Ｓ７６）、給湯装置２も停止させる（Ｓ７８）。
【００４１】
このようにＳ４２〜Ｓ７８の工程で空気調和機１と給湯装置２が優先順位に従って連動制御される。ここで、優先順位切替手段５０は、温度取得手段４２などから出力値を設定時間間隔で取得し、取得値が設定値を超えたときは優先順位を切替える。その場合、空調制御装置１４は、切替後の優先順位に基づいて空気調和機１と給湯装置２の動作を変更すべきと判断し（Ｓ８０）、Ｓ４２の工程に戻る。
【００４２】
要するに、空気調和機１は、運転要求に応じてリアルタイムに稼動すべきものであるのに対し、給湯装置２は、運転要求に対するリアルタイム性が空気調和機１よりも求められないものである。より具体的に言えば、給湯装置２は、貯湯タンク２内の水の温度を維持するいわゆる保温機能（サーマルストレージ機能）を有するため、稼動開始時間を臨機応変にずらすことができる。
【００４３】
したがって、本実施形態によれば、空気調和機１と給湯装置２に付与した優先順位に従って、空気調和機１を稼動させつつ給湯装置２の稼動開始時間をずらすことにより、第一の実施形態の効果に加えて、空調を求める利用者の快適性を確保しつつ、利用者に湯を提供することができる。
【００４４】
また、空気調和機１と給湯装置２に付与された優先順位は、室内の温度、外気温度、設定時間帯、貯湯タンク２６の貯湯量、ユーザ設定値などの変化に追従して動的に変更される。これにより、個別具体的実情（例えば、季節変動）に沿って、空気調和機１と給湯装置２の連動制御をきめ細かに行うことができる。
【００４５】
以上、本発明を適用した空気調和機の実施形態を説明したが、これに限られるものではない。例えば、空調制御装置１４の機能を他の制御用コンピュータに実行させる空調制御プログラムとして構成することもできる。すなわち、空調制御プログラムは、空調用室内ユニット１０及び空調用室外ユニット１２によって室内空気を冷暖させる手順と、空調用室内ユニット１０及び空調用室外ユニット１２を制御する手順と、水を加熱して供給する給湯装置２との間で制御指令を授受する通信手順を制御用コンピュータに実行させるものとする。そして、空調制御プログラムは、給湯装置２から送信された運転要求に応じ、空調用室外ユニット１２の圧縮機１８の運転周波数に基づき消費電力を求める手順と、前記消費電力が最大許容電力以下の際に、消費電力と最大許容電力との差に応じた運転許可指令を生成して給湯装置２に送信する手順を制御用コンピュータに実行させることができる。
【図面の簡単な説明】
【００４６】
【図１】本発明を適用した第一の実施形態の空気調和機を示す構成図である。
【図２】図１の空気調和機と給湯装置の連動制御を給湯制御装置の動作を中心に示すフローチャートである。
【図３】本発明を適用した第二の実施形態の空気調和機の優先順位付与部を示す構成図である。
【図４】図２の空気調和機と給湯装置の連動制御を示すフローチャートである。
【符号の説明】
【００４７】
１  空気調和機
２  給湯装置
１０  空調用室内ユニット
１２  空調用室外ユニット
１４  空調制御装置
１６  相互通信手段
１８  圧縮機
２６  貯湯タンク
２８  給湯用室外ユニット
３０  加熱器
３２  給湯制御装置
４０  優先順位付与部
５０  優先順位切替手段
【図１】
2007139274.tif 000003
【図２】
2007139274.tif 000004
【図３】
2007139274.tif 000005
【図４】
2007139274.tif 000006